(57)【要約】【課題】  塩製タイルを壁面や天井、床等に確実且つ安定した状態で固定することのできる塩製タイル用ホルダーを提供することを課題とする。【解決手段】  塩で成形された塩製タイルを一方の面上に配置可能に形成された樹脂製又は金属製のプレートベース部と、該プレートベース部の一方の面側に延出するように該プレートベース部に直接的又は間接的に連設されたタイル保持爪とを備え、該タイル保持爪は、プレートベース部の一方の面上に配置された塩製タイル回りに位置するように、プレートベース部の周方向に間隔をあけて少なくとも二つ設けられ、各タイル保持爪は、塩製タイルの外周面を係止可能に形成されていることを特徴とする。【選択図】図１
2010203181.tif 000002
【特許請求の範囲】
【請求項１】
塩で成形された塩製タイルを一方の面上に配置可能に形成された樹脂製又は金属製のプレートベース部と、該プレートベース部の一方の面側に延出するように該プレートベース部に直接的又は間接的に連設されたタイル保持爪とを備え、該タイル保持爪は、プレートベース部の一方の面上に配置された塩製タイル回りに位置するように、プレートベース部の周方向に間隔をあけて少なくとも二つ設けられ、各タイル保持爪は、塩製タイルの外周面を係止可能に形成されていることを特徴とする塩製タイル用ホルダー。
【請求項２】
前記プレートベース部の外周縁部から延出した枠部を備え、前記タイル保持爪は、枠部の先端から延出するように設けられている請求項１に記載の塩製タイル用ホルダー。
【請求項３】
平面視多角形状に形成された塩製タイルを保持すべく、前記プレートベース部は、平面形状が塩製タイルの平面形状に対応して多角形状に形成されるとともに、前記タイル保持爪は、プレートベース部の外周を多角形状に画定する多数の辺部のそれぞれに対応して設けられている請求項１又は２に記載の塩製タイル用ホルダー。
【請求項４】
平面視六角形状の塩製タイルを保持すべく、前記プレートベース部は、平面形状が六角形状に形成されている請求項３に記載の塩製タイル用ホルダー。
【請求項５】
前記プレートベース部の他方の面側に延出した固定用補助爪が少なくとも一つ設けられている請求項１乃至４の何れか１項に記載の塩製タイル用ホルダー。
【発明の詳細な説明】
【技術分野】
【０００１】
本発明は、塩で成形された塩製タイルを壁や天井、床等に固定するための塩製タイル用ホルダーに関する。
【背景技術】
【０００２】
従来から、塩には新陳代謝の活性化を促進する効能があるとして、部屋を画定する壁、床、及び天井の全てに岩塩から削り出した塊状の塩を敷き詰め、その部屋内を高温多湿にした塩サウナが知られているが（例えば、特許文献１参照）、塩サウナは、部屋内が高温多湿であることから、利用者の身体への負担が非常に大きいため、長時間に亘って部屋内の滞在できずに新陳代謝を十分に高めることができない場合がある。
【０００３】
そこで、昨今、壁、床、及び天井（以下、これらを総称して壁等という）の全てに多数の塩製のタイル（以下、塩製タイルという）を敷き詰め、その部屋内の温度を体温よりも僅かに高い温度（例えば、４１℃）で且つ湿度を低湿度（例えば、４５％）に設定したソルトルームが提供されつつある。
【０００４】
かかるソルトルームは、部屋内の温度及び湿度が一般的なサウナ風呂や塩サウナに比して非常に低く設定されているため、利用者の身体への負担が小さく、利用者が不快に感じることなく部屋内に長時間滞在できる上に、部屋内の温度及び湿度が塩の効能を最大限発揮させることのできる最適条件になっているため、新陳代謝や免疫力の活性化を非常に高めることができるとして、美容分野や医療分野等の多岐に亘る分野で脚光を浴びている。
【先行技術文献】
【特許文献】
【０００５】
【特許文献１】特開２００５−１９４８６１号公報
【発明の概要】
【発明が解決しようとする課題】
【０００６】
ところで、ソルトルームを構築するにあたり、多数の塩製タイルが壁等に敷き詰められることになるが、この際、塩製タイルの位置ずれや落下を防止するために、塩製タイルを壁材や天井材、床材（以下、壁材等という）に対して確実に固定しなければならない。
【０００７】
しかしながら、塩製タイルは、接着剤や粘着テープで壁材等に直接貼り付けようとすると、安定した状態で固定できないといった問題がある。すなわち、塩製タイルは、塩で成形されたものであるため、表面が凸凹になっていたり、塩の粉が付着したりしており、接着剤や粘着テープが付きにくい場合がある。また、塩製タイルは、保管中や輸送中等の温度や湿度の影響で表面が液状化乃至結晶化する場合があり、接着剤を塗布したり粘着テープを貼り付けたりする面が液状化乃至結晶化していると、接着剤や粘着テープが付きにくくなり、壁材等に対して確実に固定できない場合がある。そのため、塩タイルを接着剤や粘着テープで壁等に固定すると、塩製タイルが壁や天井から落下する虞がある
【０００８】
そこで、本発明は、斯かる実情に鑑み、塩製タイルを壁材や床材、天井材等に確実に固定することのできる塩製タイル用ホルダーを提供することを課題とする。
【課題を解決するための手段】
【０００９】
本発明に係る塩製タイル用ホルダーは、塩で成形された塩製タイルを一方の面上に配置可能に形成された樹脂製又は金属製のプレートベース部と、該プレートベース部の一方の面側に延出するように該プレートベース部に直接的又は間接的に連設されたタイル保持爪とを備え、該タイル保持爪は、プレートベース部の一方の面上に配置された塩製タイル回りに位置するように、プレートベース部の周方向に間隔をあけて少なくとも二つ設けられ、各タイル保持爪は、塩製タイルの外周面を係止可能に形成されていることを特徴とする。
【００１０】
上記構成の塩製タイル用ホルダーは、プレートベース部が樹脂製又は金属製であるため、プレートベース部の他方の面を壁材等に向けた状態で、接着剤や粘着テープによる貼着で壁材等に固定したり、ネジ止めで壁材等に固定したりすることができる。そして、タイル保持爪は、プレートベース部の一方の面上に配置された塩製タイル回りに位置するように、プレートベース部の周方向に間隔をあけて少なくとも二つ設けられ、各タイル保持爪は、塩製タイルの外周面を係止可能に形成されているので、プレートベース部の一方の面上に塩製タイルを配置することで、その塩製タイルの外周が各タイル保持爪に係止され、一方の面と直交する方向や一方の面の広がる方向に塩製タイルが移動することが規制される。従って、本発明に係る塩製タイル用ホルダーを用いれば塩製タイルを壁材等に確実に固定することができる。
【００１１】
本発明の一態様として、前記プレートベース部の外周縁部から延出した枠部を備え、前記タイル保持爪は、枠部の先端から延出するように設けられていることが好ましい。このようにすれば、塩製タイルの外周縁部を枠部で包囲した状態にすることができるため、塩製タイルの位置決めが確実になる。そして、枠部の先端からタイル保持爪が延出しているので、塩製タイルを枠部で位置決めしつつ保持することができる。
【００１２】
本発明の他態様として、平面視多角形状に形成された塩製タイルを保持すべく、前記プレートベース部は、平面形状が塩製タイルの平面形状に対応して多角形状に形成されるとともに、前記タイル保持爪は、プレートベース部の外周を多角形状に画定する多数の辺部のそれぞれに対応して設けられていることが好ましい。このようにすれば、多角形状の塩タイルの外周を複数のタイル保持爪で確実に保持した状態にすることができる。
【００１３】
この場合、平面視六角形状の塩製タイルを保持すべく、前記プレートベース部は、平面形状が六角形状に形成されていることが好ましい。このようにすれば、複数の塩製タイル用ホルダーを密接状態で壁材等に固定することで、複数の塩製タイル用ホルダー全体がハニカム構造をなすため、壁材等に対する固定だけでなく、塩製タイルの並列方向（壁等の面方向）の剛性にも優れた配置状態にすることができる。
【００１４】
そして、本発明の別の態様として、前記プレートベース部の他方の面側に延出した固定用補助爪が少なくとも一つ設けられてもよい。このようにすれば、セメントや接着剤等を介して壁材等に固定する場合に、固定用補助爪がセメントや接着剤に食い込んだ状態（固定用補助爪にセメントや接着剤が絡みついた状態）になるため、当該塩製タイル用ホルダーを確実に固定することができる。また、壁材等に固定用補助爪を挿入できる穴を開けておき、穴を画定する開口縁部と固定用補助爪とを互いに係合可能に構成すれば、接着剤に頼らずにその係合だけでも塩製タイル用ホルダーを確実に固定することができる。なお、言うまでもないが、固定用補助爪を開口縁部に係合させるようにしても、接着剤や粘着テープ等の貼着手段でプレートベース部を壁材等で貼着しても勿論よい。このように塩製タイル用ホルダーを確実に固定できるため、この塩製タイル用ホルダーに保持された塩製タイルも確実に固定されることになる。
【発明の効果】
【００１５】
本発明の塩製タイル用ホルダーによれば、塩製タイルを壁材や床材、天井材等に確実に固定することができるという優れた効果を奏し得る。
【図面の簡単な説明】
【００１６】
【図１】本発明の一実地形態に係る塩製タイル用ホルダーが対象とする塩製タイルの斜視図であって、（ａ）は第一タイルの斜視図を示し、（ｂ）は第二タイルの斜視図を示し、（ｃ）は第三タイルの斜視図を示す。
【図２】同実地形態に係る塩製タイル用ホルダー（第一ホルダー）の説明図であって、（ａ）は平面図を示し、（ｂ）は底面図を示し、（ｃ）は、側面図を示す。
【図３】同実地形態に係る塩製タイル用ホルダー（第二ホルダー）の説明図であって、（ａ）は平面図を示し、（ｂ）は底面図を示し、（ｃ）は、側面図を示す。
【図４】同実地形態に係る塩製タイル用ホルダー（第三ホルダー）の説明図であって、（ａ）は平面図を示し、（ｂ）は底面図を示し、（ｃ）は、側面図を示す。
【図５】同実施形態に係る塩製タイル用ホルダー（第一〜第三ホルダー）を複数配列した状態の部分斜視図を示す。
【図６】同実地形態に係る塩製タイル用ホルダー（第一ホルダー）に対する塩製タイル（第一タイル）の取り付け作業を説明するための説明図であって、（ａ）は、第一ホルダーに第一タイルを取り付ける状態の斜視図を示し、（ｂ）は、第一ホルダーに第一タイルを取り付けた状態の斜視図を示す。
【図７】同実地形態に係る塩製タイル用ホルダー（第二ホルダー）に対する塩製タイル（第二タイル）の取り付け作業を説明するための説明図であって、（ａ）は、第二ホルダーに第二タイルを取り付ける状態の斜視図を示し、（ｂ）は、第二ホルダーに第二タイルを取り付けた状態の斜視図を示す。
【図８】同実地形態に係る塩製タイル用ホルダー（第三ホルダー）に対する塩製タイル（第三タイル）の取り付け作業を説明するための説明図であって、（ａ）は、第三ホルダーに第三タイルを取り付ける状態の斜視図を示し、（ｂ）は、第三ホルダーに第三タイルを取り付けた状態の斜視図を示す。
【図９】同実地形態に係る塩製タイル用ホルダー（第一〜第三ホルダー）を用いて塩製タイル（第一〜第三タイル）を固定した状態の斜視図を示す。
【図１０】本発明の他実施形態に係る塩製タイル用ホルダーの側面図を示す。
【発明を実施するための形態】
【００１７】
以下、本発明の一実施形態に係る塩製タイル用ホルダーについて、添付図面を参照しつつ説明する。
【００１８】
本実施形態に係る塩製タイル用ホルダーは、ソルトルームを構築するに当り、塩製タイルを壁材や天井材、床材（以下、これらを総称して壁材等という）に固定するためのものである。そこで、塩製タイル用ホルダーの説明に先立ち、前提となる塩製タイルについて概略説明する。塩製タイルには、岩塩から所定形状に削りだして成形されたものや、塩を溶融固化（金型成形）して所定形状に成形されたものを採用できるが、岩塩には不純物が多く含まれるため、塩の含有率を高めるべく、粉状又は粒状の塩を溶融固化して形成されたもの採用することが好ましい。すなわち、塩を高温で溶融させると、含有されていた不純物が気化し、塩に含まれる不純物（残存する不純物）が少なくなる。従って、塩を溶融固化して成形された塩製タイルは、高純度の塩で成形されたものとなり、新陳代謝や免疫を高めるとされる効能を最大限発揮させるものとなるため、ソルトルームを構築するのに最適である。
【００１９】
そして、ソルトルーム（部屋）の内面を構成する壁や天面、床（以下、壁等という）が単一な方形領域、或いは、複数の方形領域の組み合わせ（以下、単に方形領域という）であるため、複数の塩製タイルを壁等に敷き詰めたときに、その集合体が方形領域を埋め尽くすことができるように、塩製タイルは、図１に示す如く、複数種類（本実施形態においては三種類）用意される。
【００２０】
すなわち、ソルトルームを構築するための塩製タイルＴ１，Ｔ２，Ｔ３は、基本形として平面視略六角形状をなす第一の塩製タイル（以下、第一タイルという：図１（ａ）参照）Ｔ１と、対向する二つの頂点を結ぶ線上で基本形（第一タイルＴ１）を切断した形状（第一タイルＴ１を二つ割りにした形状）をなす第二の塩製タイル（以下、第二タイルという：図１（ｂ）参照）Ｔ２と、対向する二つの辺（略平行をなす二つの辺）の中間点同士を結ぶ線上で基本形（第一タイルＴ１）を切断した形状（第一タイルＴ１を二つ割りにした形状）をなす第三の塩製タイル（以下、第三タイルという：図１（ｃ）参照）Ｔ３とが用意される。なお、以下の説明において、第一乃至第三タイルＴ１，Ｔ２，Ｔ３の全てを指す場合には総称して塩製タイルＴということとする。
【００２１】
このように塩製タイルが複数種類用意されるに伴い、塩製タイル用ホルダーは、塩製タイルＴの種類毎に形状設定される。すなわち、図２〜図４に示す如く、塩製タイルＴとして第一乃至第三タイルＴ１，Ｔ２，Ｔ３が用意されるに伴い、本実施形態においては、第一タイルＴ１用の塩製タイル用ホルダー（以下、第一ホルダーという：図２参照）１と、第二タイルＴ２用の塩製タイル用ホルダー（以下、第二ホルダーという：図３参照）２と、第三タイルＴ３用の塩製タイル用ホルダー（以下、第三ホルダーという：図４参照）３とが用意される。なお、以下の説明において、第一乃至第三ホルダー１，２，３の全てを指す場合には総称してホルダーＨということとする。
【００２２】
すなわち、ホルダーＨは、塩製タイルＴの形態に応じて形成されるもので、塩製タイルＴを一方の面上に配置可能に形成された樹脂製のプレートベース部１０，２０，３０と、該プレートベース部１０，２０，３０の一方の面側に延出するように該プレートベース部１０，２０，３０に直接的又は間接的に連設されたタイル保持爪１１…，２１…，３１…とを備えている。
【００２３】
本実施形態に係るホルダーＨは、プレートベース部１０，２０，３０が透明な樹脂で成形されている。そして、該プレートベース部１０，２０，３０は、保持の対象となる塩製タイルＴの平面形状（外郭形状）に対応して形成される。そのため、第一ホルダー１は、プレートベース部１０の平面形状が第一タイルＴ１の平面形状に対応し、第二ホルダー２は、プレートベース部２０の平面形状が第二タイルＴ２の平面形状に対応し、第三ホルダー３は、プレートベース部３０の平面形状が第三タイルＴ３の平面形状に対応している。
【００２４】
従って、第一ホルダー１は、プレートベース部１０が平面視略六角形状をなしている（図２参照）。これに対し、第二ホルダー２及び第三ホルダー３は、プレートベース部２０，３０が基本形（六角形状）を半割にした形状をなしている（図３及び図４参照）。すなわち、第二ホルダー２のプレートベース部２０は、六角形の領域を画定する六つの辺が接続された六つの頂点のうち、対向する二つの頂点を結ぶ線上で六角形の領域を半分にした形状をなしている。そして、第三ホルダー３のプレートベース部３０は、六角形の領域を画定する六つの辺のうち、対向する二つの辺（略平行をなす二つの辺）の中間点同士を結ぶ線上で六角形の領域を半分にした形状をなしている。
【００２５】
そして、ホルダーＨのプレートベース部１０，２０，３０には、複数の貫通孔１２…，２２…，３２…が穿設されている。本実施形態に係るホルダーＨは、塩製タイルＴを保持した状態で、プレートベース部１０，２０，３０の他方の面側から照射した光がプレートベース部１０，２０，３０の貫通孔１２…，２２…，３２…を介して塩製タイルＴを透過できるようになっている。すなわち、本実施形態に係るホルダーＨは、壁材等に対する固定態様として、壁材等（板材）に対してプレートベース部１０，２０，３０を直接固定する場合と、プレートベース部１０，２０，３０を壁材等と間隔をあけて配置された上で固定される場合とが想定されており、プレートベース部１０，２０，３０を壁材等と間隔をあけて配置したときに、その間に配置した光源の光を塩製タイルＴに透過させて部屋内に照射させることを目的に、プレートベース部１０，２０，３０に光透過用の貫通孔１２…，２２…，３２…が穿設されている。なお、言うまでもないが、塩製タイルＴに光を透過させることを対象としない場合には、必ずしもプレートベース部１０，２０，３０に光透過用の貫通孔１２…，２２…，３２…を設ける必要はない。
【００２６】
そして、本実施形態に係るホルダーＨは、プレートベース部１０，２０，３０の他方の面に補強用のリブ１３，２３，３３が設けられている。かかるリブ１３，２３，３３は、プレートベース部１０，２０，３０の他方の面から突出した突片で構成されている（図２（ａ）、図３（ｂ）、図４（ｂ）参照）。
【００２７】
また、本実施形態に係るホルダーＨは、プレートベース部１０，２０，３０の外周縁部から一方の面側に延出した枠部１４，２４，３４をさらに備えている。かかる枠部１４，２４，３４は、プレートベース部１０の外郭と同形の領域を画定し、その領域内に塩製タイルＴが嵌め込み可能に形成されている。すなわち、第一ホルダー１の枠部１４は、プレートベース部１０を取り囲んで該プレートベース部１０の外郭に対応した六角形状の領域を画定し、第一タイルＴ１を嵌め込み可能に形成されている（図２（ａ）参照）。これに対し、第二ホルダー２の枠部２４は、プレートベース部２０を取り囲んで該プレートベース部２０の外郭に対応した台形状の領域を画定し、第二タイルＴ２を嵌め込み可能に形成されている（図３（ａ）参照）。そして、第三ホルダー３の枠部３４は、プレートベース部３０を取り囲んで該プレートベース部３０の外郭に対応して扁平五角形状（ホームベース状）の領域を画定し、第三タイルＴ３を嵌め込み可能に形成されている（図４（ａ）参照）。
【００２８】
前記タイル保持爪１１…，２１…，３１…は、プレートベース部１０，２０，３０の一方の面上に配置された塩製タイルＴ回りに位置するように、プレートベース部１０，２０，３０の周方向に間隔をあけて少なくとも二つ設けられている。各タイル保持爪１１…，２１…，３１…は、プレートベース部１０，２０，３０と同様に樹脂製のもので、プレートベース部１０，２０，３０と一体的に成形されている。
【００２９】
各タイル保持爪１１…，２１…，３１は、プレートベース部１０，２０，３０の一方の面と直交する方向に延びている。そして、各タイル保持爪１１…，２１…，３１…は、塩製タイルＴの外周面を係止可能に形成されている。すなわち、各タイル保持爪１１…，２１…，３１…は、先端部にプレートベース部１０，２０，３０の外周側から内側に向いて先細りした突起１５，２５，３５が形成されており、突起１５，２５，３５の先端が塩製タイルＴの外周面に圧接することで塩製タイルＴを係止するようになっている。
【００３０】
そして、各ホルダーＨは、プレートベース部１０，２０，３０が平面視多角形状に形成されるに伴い、前記タイル保持爪１１…，２１…，３１…は、プレートベース部１０，２０，３０の外周を画定する辺部のそれぞれに対応して設けられている。
【００３１】
本実施形態において、第一ホルダー１は、プレートベース部１０が平面視六角形状に形成されているため、タイル保持爪１１…は、六つの辺部のそれぞれに対応して設けられている。すなわち、第一ホルダー１は、六つの辺部の配置に対応して六つのタイル保持爪１１…，２１…，３１…が設けられている（図２（ａ）参照）。これに対し、第二ホルダー２は、プレートベース部２０が平面視台形状に形成されているため、タイル保持爪２１…は、四つの辺部のそれぞれに対応して設けられている。すなわち、第二ホルダー２は、四つの辺部の配置に対応して四つのタイル保持爪２１…が設けられている（図３（ａ）参照）。そして、第三ホルダー３は、プレートベース部３０が平面視扁平五角形状に形成されているため、タイル保持爪３１…は、五つの辺部のそれぞれに対応して設けられている。すなわち、第三ホルダーＨは、五つの辺部の配置に対応して五つのタイル保持爪３１…が設けられている（図４（ａ）参照）。
【００３２】
本実施形態において、タイル保持爪１１…，２１…，３１…は、プレートベース部１０，２０，３０に対して間接的に連設されている。すなわち、本実施形態に係るホルダーＨは、枠部１４，２４，３４を備えているため、各タイル保持爪１１…，２１…，３１…は、枠部１４，２４，３４の先端から延出するように設けられている。また、本実施形態においては、塩製タイルＴを配置するに当り、各ホルダーＨのタイル保持爪１１…，２１…，３１…同士の干渉を防止できるように、各タイル保持爪１１…，２１…，３１…は、辺部の延びる方向の何れか一方の端部側に変位するように配置されている。すなわち、各タイル保持爪１１…，２１…，３１…は、各辺部において、プレートベース部１０，２０，３０の外周回りでの一方向（同方向）側に変位した位置に配置されている。
【００３３】
そして、本実施形態に係る各ホルダーＨは、他方の面側に延出した固定用補助爪１６，２６，３６が少なくとも一つ設けられている。かかる固定用補助爪１６，２６，３６は、プレートベース部１０，２０，３０の他方の面に延設されており、プレートベース部１０，２０，３０の他方の面上にあるリブ１３，２３，３３よりも外方に突出している。そして、固定用補助爪１６，２６，３６は、上述の如く、ホルダーＨを壁材等に穿設した穴に挿入した状態でその穴を画定する開口縁部に係止できるようになっている。なお、上述の如く、ホルダーＨを壁材と間隔をあけて配置する場合、ホルダーＨを支持する基材が壁材に対して間隔をあけて配置され、この基材に対してホルダーＨを取り付けるようになっているので、この場合、基材に穿設した穴に固定用補助爪１６，２６，３６が挿入され、その穴の開口縁部に固定用補助爪１６，２６，３６が係合するようになっている。
【００３４】
本実施形態に係るホルダーＨ（第一〜第三ホルダー１，２，３）は、以上の通りである。次に、これらを用いて塩製タイルＴ（第一〜第三タイルＴ１，Ｔ２，Ｔ３）を壁等に敷き詰める作業について説明する。図５に示す如く、隣接する第一ホルダー１の辺部同士が並ぶ（略平行になる）ように、複数の第一ホルダー１を縦横に配置して固定する。本実施形態に係る第一ホルダー１は、プレートベース部１０が樹脂製のものであるため、接着剤や粘着テープとの相性がよいことから、接着剤や粘着テープ等の貼着手段を介して壁材等に固定する。そして、本実施形態に係る第一ホルダー１は、上述の如く、プレートベース部１０の他方の面に固定用補助爪１６が形成されているため、接着剤や粘着テープによる接着に加え、壁材（又は基材）に穿設された穴に固定用補助爪１６を挿入し、その穴の開口縁部に固定用補助爪１６を係合させることでも固定する。
【００３５】
そして、第二ホルダー２及び第三ホルダー３も壁材等（又は基材）に固定する。すなわち、複数の第一ホルダー１を配置することで、この複数の第一ホルダー１の配置された領域の外周に、第二ホルダー２及び第三ホルダー３の平面形状に対応した部分が残るため、その部分に対応する第二ホルダー２又は第三ホルダー３を配置する。この場合においても、第一ホルダー１と同様に、プレートベース部２０，３０が樹脂製であるため、接着剤や粘着テープ等の貼着手段を介して壁材等に固定する。そして、本実施形態に係る第二ホルダー２及び第三ホルダー３についても、プレートベース部２０，３０の他方の面に固定用補助爪２６，３６が形成されているため、接着剤や粘着テープによる接着に加え、壁材（又は基材）に穿設された穴に固定用補助爪２６，３６を挿入し、その穴の開口縁部に固定用補助爪２６，３６を係合させることでも固定する。これにより、壁材等の方形領域内に複数のホルダーＨが略密接した状態で配置されることになる。
【００３６】
そして、図６に示す如く、各第一ホルダー１に対して第一タイルＴ１を取り付ける。すなわち、図６（ａ）に示す如く、第一タイルＴ１の一方の面が第一ホルダー１のプレートベース部１０の一方の面と対向するように、第一タイルＴ１を枠部１４内に嵌め込む。そうすると、図６（ｂ）に示す如く、第一タイルＴ１が枠部１４に位置決めされるとともに、複数のタイル保持爪１１…によって外周が保持されることになる。また、図７（ａ）及び図８（ａ）に示す如く、第二タイルＴ２の一方の面が第二ホルダー２のプレートベース部２０の一方の面と対向するように、第二タイルＴ２の一方の面側の一部を枠部２４内に嵌め込み、第三タイルＴ３の一方の面が第三ホルダー３のプレートベース部３０の一方の面と対向するように、第三タイルＴ３の一方の面側の一部を枠部３４内に嵌め込む。そうすると、第二タイルＴ２は、図７（ｂ）に示す如く、枠部２４に位置決めされるとともに、複数のタイル保持爪２１…によって外周が保持されることになる。また、第三タイルＴ３は、図８（ｂ）に示す如く、枠部３４に位置決めされるとともに、複数のタイル保持爪３１…によって外周が保持されることになる。
【００３７】
この状態で、図９に示す如く、各塩製タイルＴ間に隙間が形成されるため、この隙間内に目地剤を充填する。そうすると、各塩製タイルＴ間にあったタイル保持爪１１…，２１…，３１…が目地剤によって覆い隠された状態になる。なお、塩製タイルＴ間の隙間に充填する目地剤は、樹脂製のものであってもよいが、例えば、粉末状の塩を水で練ったものであってもよい。このように塩を粉末（微粉末）にして水で練ると、漆喰やセメントのように硬化することになる上に、ソルトルーム（部屋）を画定する壁等の全てが塩で覆われた状態になる。
【００３８】
そして、上述の如く、複数のホルダーＨを配置すると、該ホルダーＨがハニカム状をなすため、壁材等に対する固定だけでなく、塩製タイルＴの並列方向（壁等の面方向）の剛性にも優れたものになる。
【００３９】
以上のように、本実施形態に係る塩製タイル用ホルダーＨ（第一〜第三ホルダー１，２，３）は、プレートベース部１０，２０，３０が樹脂製であるため、接着剤や粘着テープによる貼着で壁材等に固定したり、ネジ止め等で壁材等に固定したりすることができる。そして、タイル保持爪１１…，２１…，３１…は、プレートベース部１０，２０，３０の一方の面上に配置された塩製タイルＴ回りに位置するように、プレートベース部１０，２０，３０の周方向に間隔をあけて少なくとも二つ設けられ、各タイル保持爪１１…，２１…，３１…は、塩製タイルＴの外周面を係止可能に形成されているので、プレートベース部１０，２０，３０の一方の面上に塩製タイルＴを配置することで、その塩製タイルＴの外周がタイル保持爪１１…，２１…，３１…によって係止され、一方の面と直交する方向や一方の面の広がる方向で塩製タイルＴが移動することが規制される。従って、本発明に係る塩製タイル用ホルダーＨを介して塩製タイルＴを壁材等に確実に固定することができる。
【００４０】
そして、前記プレートベース部１０，２０，３０の外周縁部から延出した枠部１４，２４，３４を備え、前記タイル保持爪１１…，２１…，３１…は、枠部１４，２４，３４の先端から延出するように設けられているので、塩製タイルＴの外周縁部を枠部１４，２４，３４で包囲した状態にすることができ、塩製タイルＴの位置決めが確実になる。そして、枠部１４，２４，３４の先端からタイル保持爪１１…，２１…，３１…が延出しているので、塩製タイルＴを枠部１４，２４，３４で位置決めしつつ保持することができる。
【００４１】
また、平面視多角形状に形成された塩製タイルＴを保持すべく、前記プレートベース部１０，２０，３０は、平面形状が塩製タイルＴの平面形状に対応して多角形状に形成されるとともに、前記タイル保持爪１１…，２１…，３１…は、プレートベース部１０，２０，３０の外周を画定する辺部のそれぞれに対応して設けられているこので、多角形状の塩タイルの外周をタイル保持爪１１…，２１…，３１…で確実に保持した状態にすることができる。特に、平面視六角形状の第一タイルＴ１を保持すべく、第一ホルダー１のプレートベース部１０は、平面形状が六角形状に形成されているので、塩製タイルＴを壁等に敷き詰めたときに複数の第一ホルダー１がハニカム状をなし、壁材等に対する固定だけでなく、塩製タイルＴの並列方向（壁等の面方向）の剛性にも優れたものにすることができる。
【００４２】
さらに、前記プレートベース部１０，２０，３０の他方の面側に延出した固定用補助爪１６，２６，３６が少なくとも一つ設けられているので、壁材に穿設した穴を画定する開口縁部と固定用補助爪１６，２６，３６とが互いに係合することで確実に固定することができる。
【００４３】
尚、本発明に係る塩製タイル用ホルダーは、上記実施形態に限定されるものではなく、本発明の要旨を逸脱しない範囲内において種々変更を加え得ることは勿論である。
【００４４】
上記実施形態において、ホルダーＨを樹脂で成形したが、これに限定されるものではなく、例えば、薄板状の金属板を曲げ加工して形成したものであってもよい。すなわち、ホルダーＨは、プレートベース部１０，２０，３０を接着剤や粘着テープで壁材等に貼着できるように、少なくともプレートベース部１０，２０，３０が樹脂製又は金属製であればよい。
【００４５】
上記実施形態において、各ホルダーＨのプレートベース部１０，２０，３０に貫通孔１２…，２２…，３２…を設けたが、これに限定されるものではなく、例えば、ホルダーＨのプレートベース部１０，２０，３０を壁材等に直付けする場合には、プレートベース部１０，２０，３０は非貫通の状態であってもよい。
【００４６】
上記実施形態において、プレートベース部１０，２０，３０の他方の面に固定用補助爪１６，２６，３６を延設し、その固定用補助爪１６，２６，３６を壁材等に穿設した穴の開口縁部に係合させるようにしたが、これに限定されるものではなく、例えば、固定用補助爪１６，２６，３６は、突起状（リブ１３，２３，３３を設ける場合にはリブ１３，２３，３３よりも外方に突出した突起）で構成し、接着剤でホルダーＨを壁材等に固定する場合に、固定用補助爪１６，２６，３６が接着剤に食い込む（固定用補助爪１６，２６，３６に接着剤が絡みつく）ようにしてもよい。
【００４７】
また、プレートベース部１０，２０，３０が樹脂又は金属で構成されるため、接着剤や粘着テープ等の貼着手段でホルダーＨを壁材等に固定できることから、固定用補助爪１６，２６，３６は必要に応じて設ければよい。すなわち、図１０に示す如く、第一ホルダー１のプレートベース部１０の他方の面を平面状に形成し、この平面を貼着手段で壁材等に貼着するようにしてもよい。また、第二ホルダー２や第三ホルダー３も同様である。
【００４８】
上記実施形態において、塩製タイルの基本形として平面視六角形状にするとともに、壁等の方形領域全面に塩製タイルＴを敷き詰めることを前提にしたため、複数の塩製タイルＴを配列するに当たって第二タイルＴ２及び第三タイルＴ３を配列に加えるようにしたが、第二タイルＴ２及び第三タイルＴ３は、壁面の端部に配置されるものであるため、例えば、壁等の隅部に目隠し等を設置することが許容される場合には、第一タイルＴ１のみを配列するようにしてもよい。従って、この場合には、塩製タイル用ホルダーとして第一ホルダー１のみを用意すればよい。また、上述の如く、塩製タイルＴの平面視の形状（基本形）を三角形や四角形等の多角形にする場合も同様である。
【００４９】
上記実施形態において、塩製タイルの基本形が平面視六角形状であることを前提にホルダーＨ（第一ホルダー１）のプレートベース部１０を六角形に形成し、また、第二ホルダー２及び第三ホルダー３を基本形の半分の形状に形成したが、塩製タイルの基本形は六角形状に限定されるものではなく、三角形状や四角形状等の多角形状、円形状等であってもよく、ホルダーＨは、対象となる塩製タイルＴの平面形状に合わせてプレートベース部１０，２０，３０の平面形状を設定すればよい。なお、四角形状の塩製タイルＴを対象とする場合、ホルダーＨのプレートベース部１０，２０，３０が平面視四角形状となるため、これらを縦横に並べると壁等の方形領域に体裁よく配置できるが、それ以外の多角形の塩製タイルＴを対象にすると、縦横に配置したときにこれらで方形領域を形成することができないため、上記実施形態と同様に明き部分を埋める場合（方形領域全面に塩製タイルＴを敷き詰める場合）、その明き部分に対応した平面形状の塩製タイルＴを成形し、また、これに対応するホルダーＨを用意することが好ましいことは言うまでもない。
【００５０】
上記実施形態において、プレートベース部１０，２０，３０とタイル保持爪１１…，２１…，３１…とを一体成形したが、これに限定されるものではなく、例えば、これらを別体で形成した後、これらを連結するようにしてもよい。従って、プレートベース部１０，２０，３０及びタイル保持爪１１…，２１…，３１…は、同一の材質で作製されたものに限定されるものではない。
【００５１】
上記実施形態において、プレートベース部１０，２０，３０の外周に枠部１４，２４，３４を設けたが、これに限定されるものではなく、例えば、プレートベース部１０，２０，３０の外周端部又は一方の面上にタイル保持爪１１…，２１…，３１…を直接的に延設してもよい。なお、ホルダーＨは、隣り合う他のホルダーＨと接近して配置できることが好ましいため、プレートベース部１０，２０，３０を塩製タイルＴの平面形状及びサイズに対応させて形成し、その外周端部にタイル保持爪１１…，２１…，３１…を延設することが好ましい。
【符号の説明】
【００５２】
１（Ｈ）…第一ホルダー（塩製タイル用ホルダー）、２（Ｈ）…第二ホルダー（塩製タイル用ホルダー）、３（Ｈ）…第三ホルダー（塩製タイル用ホルダー）、１０，２０，３０…プレートベース部、１１，２１，３１…タイル保持爪、１２，２２，３２…貫通孔、１３，２３，３３…リブ、１４，２４，３４…枠部、１５，２５，３５…突起、１６，２６，３６…固定用補助爪、Ｔ１（Ｔ）…第一タイル（塩製タイル）、Ｔ２（Ｔ）…第二タイル（塩製タイル）、Ｔ３（Ｔ）…第三タイル（塩製タイル）
【図１】
2010203181.tif 000003
【図２】
2010203181.tif 000004
【図３】
2010203181.tif 000005
【図４】
2010203181.tif 000006
【図５】
2010203181.tif 000007
【図６】
2010203181.tif 000008
【図７】
2010203181.tif 000009
【図８】
2010203181.tif 000010
【図９】
2010203181.tif 000011
【図１０】
2010203181.tif 000012